(57)【要約】【課題】インターネットなどのコンピュータネットワーク上で行われた決済処理の結果を正確且つ容易に管理することができる電子決済システムを提供する。【解決手段】本発明の電子決済システムは、ブラウザ機能を有し、商品やサービスの購入を行い決済情報などを入力するユーザ側装置である携帯型通信装置（携帯電話３０Ａなど）やＰＣ３０Ｂと、サーバ機能を有し、決済情報に基づいて、利用者の決済処理を行う電子決済サーバ２０と、ネットワーク４０上でユーザに商品やサービスを提供する店舗サーバ１０Ａと、実店舗内に設けられたＰＯＳ端末などの店舗端末１０Ｂと、ユーザ側装置３０Ａ，３０Ｂや店舗端末１０Ｂをネットワーク４０に接続するプロバイダ５０Ａ，５０Ｂ，５０Ｃと、を備えている。【選択図】　図１
2004021661.tif 000002
【特許請求の範囲】
【請求項１】
ネットワーク上で決済処理を行う電子決済システムであって、
ネットワーク上で決済を行う電子決済サーバと、
前記ネットワークを介して、前記電子決済サーバに決済要求を行うユーザ側装置と、
前記ユーザ側装置に対して、決済毎に特定のＩＤを割り当て、当該特定のＩＤを前記ユーザ側装置に通知する店舗側装置と、
を備え、
前記ユーザ側装置は、前記店舗側装置から通知された前記特定のＩＤと共に前記電子決済サーバに決済情報を送信して決済要求を行い、
前記電子決済サーバは、前記ユーザ側装置からの前記決済要求に応じて決済を行い、当該決済の結果と前記特定のＩＤとを関連付けて記憶する、
ことを特徴とする電子決済システム。
【請求項２】
前記店舗側装置は、前記ユーザ側装置に前記特定のＩＤを割り振って通知するための特定ＩＤ発行手段を備える、ことを特徴とする請求項１記載の電子決済システム。
【請求項３】
前記店舗側装置は、前記特定のＩＤに基づいて、前記電子決済サーバでの前記決済の結果を確認する、ことを特徴とする請求項１又は２記載の電子決済システム。
【請求項４】
前記店舗側装置は、前記特定のＩＤに基づいて、前記電子決済サーバでの前記決済の結果を確認するための入金確認手段を備える、ことを特徴とする請求項３記載の電子決済システム。
【請求項５】
前記ユーザ側装置は、携帯型の通信装置である、ことを特徴とする請求項１乃至４記載の電子決済システム。
【請求項６】
前記ユーザ側装置は、ＰＣ（Ｐｅｒｓｏｎａｌ　Ｃｏｍｐｕｔｅｒ）である、ことを特徴とする請求項１乃至４記載の電子決済システム。
【請求項７】
前記店舗側装置は、ＰＯＳ端末である、ことを特徴とする請求項１乃至６記載の電子決済システム。
【請求項８】
前記店舗側装置は、前記ネットワーク上で商品及び／又はサービスを提供する電子店舗サーバである、ことを特徴とする請求項１乃至６記載の電子決済システム。
【請求項９】
前記電子決済サーバは、所定の金額以下の場合に決済を行う、ことを特徴とする請求項１乃至８記載の電子決済システム。
【請求項１０】
ネットワーク上で決済処理を行う電子決済方法であって、
（Ａ）振込先から決済毎に当該決済を特定するための特定ＩＤを割り当て、
（Ｂ）前記特定ＩＤを振込元に通知し、
（Ｃ）振込元から前記特定ＩＤと共に決済要求を行い、
（Ｄ）前記決済要求に応じて決済処理を行い、
（Ｅ）前記決済処理の結果を前記特定ＩＤに関連付けて記憶する、
ことを特徴とする電子決済方法。
【請求項１１】
さらに、前記ステップ（Ｅ）の後に、
（Ｆ）前記特定ＩＤに基づいて前記決済処理の結果を確認する、
ことを特徴とする請求項１０記載の電子決済方法。
【請求項１２】
前記ステップ（Ｆ）は、店舗側装置から電子決済サーバに対して行う、ことを特徴とする請求項１１記載の電子決済方法。
【請求項１３】
前記ステップ（Ｆ）は、前記特定ＩＤに基づいて、店舗側装置から電子決済サーバに決済の結果を即座に照会し、店舗側装置に記憶されている決済待ち情報の消し込みを行うことによって、前記決済処理の結果を確認する、ことを特徴とする請求項１１又は１２記載の電子決済方法。
【請求項１４】
ネットワーク上で決済を行うためのプログラムであって、前記請求項１乃至９記載の電子決済システムの機能を、コンピュータに実現させるためのプログラム。
【請求項１５】
ネットワーク上で決済を行うためのプログラムであって、前記請求項１０乃至１３記載の電子決済方法の処理を、コンピュータに実現させるためのプログラム。
【発明の詳細な説明】
【０００１】
【発明の属する技術分野】
本発明は、インターネットなどのコンピュータネットワーク上で決済処理を行う電子決済システム、電子決済方法及びプログラムに関する。特には、決済ごとに特定のＩＤを割り当てて決済結果を管理する電子決済システム、電子決済方法及びプログラムに関する。
【０００２】
【従来の技術】
従来から、複数のコンピュータを通信回線などによって接続し、データやプログラムなどを複数のコンピュータ同士で蓄積交換したり、データなどを共有するコンピュータ・ネットワーク（以下、単に「ネットワーク」とも言う）が構築されている。
【０００３】
このようなネットワークの方式としては、所定の通信プロトコルなどに準拠すれば、原則として自由にコンピュータの接続ができるオープン型ネットワーク方式と、ネットワークをホスト・コンピュータなどで管理し、接続されるコンピュータなどの端末装置に一定のセキュリティなどの制限を設けて、管理外のコンピュータ・ノードをネットワークに接続させないようにするクローズ型ネットワーク方式がある。
【０００４】
上述のオープン型ネットワーク方式の代表的なものとして、インターネットがある。このインターネットにおいては、通信プロトコルにＴＣＰ（Ｔｒａｎｓｆｅｒ　Ｃｏｎｔｒｏｌ　Ｐｒｏｔｏｃｏｌ）／ＩＰ（Ｉｎｔｅｒｎｅｔ　Ｐｒｏｔｏｃｏｌ）が採用されており、原則としてこの通信プロトコルを遵守したコンピュータであればネットワークに接続することができる。
【０００５】
近年において、インターネットのような自由なネットワーク環境を背景に、ＷＷＷ（Ｗｏｒｌｄ　Ｗｉｄｅ　Ｗｅｂ）などのマルチメディア環境が整備されてきた。特に、最近では、このインターネットを利用して特定のサービスを行うインターネットビジネス（ｅビジネス）といわれるものが多く提案され運営されている。
【０００６】
このインターネットビジネス（ｅビジネス）においては、ネットワーク上で様々なサービスが存在し、これらのサービスに対する決済処理もネットワーク上で行うことができるようになっている。
【０００７】
【発明が解決しようとする課題】
しかしながら、現在の電子決済システムによれば、商品やサービスを提供する店舗側で決済の結果を確認する場合、自己の口座情報を参照してユーザから振込みがあったかどうかを確認する必要がある。この確認は、一定時間間隔でリストの取得を行い、ユーザの特定、商品又はサービス内容の確認、振込金額の確認などを行うため、リアルタイム性と特定の決済のみの結果確認を迅速に行うことはできなかった。
【０００８】
従って、本発明の目的は、インターネットなどのコンピュータネットワーク上で行われた決済処理の結果を正確且つ容易に管理することができる電子決済システム、電子決済方法及びプログラムを提供することである。
【０００９】
【課題を解決するための手段】
上記課題を解決するため、本発明の電子決済システムは、ネットワーク上で決済処理を行う電子決済システムであって、ネットワーク上で決済を行う電子決済サーバと、ネットワークを介して、電子決済サーバに決済要求を行うユーザ側装置と、ユーザ側装置に対して、決済毎に特定のＩＤを割り当て、当該特定のＩＤを前記ユーザ側装置に通知する店舗側装置と、を備え、ユーザ側装置は、店舗側装置から通知された特定のＩＤと共に電子決済サーバに決済情報を送信して決済要求を行い、電子決済サーバは、ユーザ側装置からの決済要求に応じて決済を行い、当該決済の結果と特定のＩＤとを関連付けて記憶する、ことを特徴とする。
【００１０】
ここで、店舗側装置は、ユーザ側装置に特定のＩＤを割り振って通知するための特定ＩＤ発行手段を備える、ことができる。
【００１１】
また、店舗側装置は、特定のＩＤに基づいて、電子決済サーバでの決済の結果を確認する、ことができる。
【００１２】
ここで、店舗側装置は、特定のＩＤに基づいて、電子決済サーバでの決済の結果を確認するための入金確認手段を備える、ことができる。
【００１３】
ユーザ側装置は、携帯型の通信装置又はＰＣ（Ｐｅｒｓｏｎａｌ　Ｃｏｍｐｕｔｅｒ）にするとよい。
【００１４】
また、店舗側装置は、ＰＯＳ端末であってもよく、ネットワーク上で商品及び／又はサービスを提供する電子店舗サーバであってもよい。
【００１５】
また、電子決済サーバは、所定の金額以下の場合に決済を行う、ようにするとよい。
【００１６】
また、上記課題を解決するため、本発明の電子決済方法は、ネットワーク上で決済処理を行う電子決済方法であって、（Ａ）振込先から決済毎に当該決済を特定するための特定ＩＤを割り当て、（Ｂ）特定ＩＤを振込元に通知し、（Ｃ）振込元から特定ＩＤと共に決済要求を行い、（Ｄ）決済要求に応じて決済処理を行い、（Ｅ）決済処理の結果を特定ＩＤに関連付けて記憶する、ことを特徴とする。
【００１７】
さらに、ステップ（Ｅ）の後に、（Ｆ）特定ＩＤに基づいて決済処理の結果を確認する、ことができる。
【００１８】
ここで、ステップ（Ｆ）は、店舗側装置から電子決済サーバに対して行うことができる。
【００１９】
このとき、ステップ（Ｆ）は、特定ＩＤに基づいて、店舗側装置から電子決済サーバに決済の結果を即座に照会し、店舗側装置に記憶されている決済待ち情報の消し込みを行うことによって、決済処理の結果を確認する、ようにするとよい。
【００２０】
また、上記課題を解決するため、本発明の第１の形態のプログラムは、ネットワーク上で決済を行うためのプログラムであって、上述した電子決済システムの機能を、コンピュータに実現させるためのプログラムであることを特徴とする。
【００２１】
また、上記課題を解決するため、本発明の第２の形態のプログラムは、ネットワーク上で決済を行うためのプログラムであって、上述した電子決済方法の処理を、コンピュータに実現させるためのプログラムであることを特徴とする。
【００２２】
店舗側から決済処理毎に特定ＩＤを割り当て、当該特定ＩＤに基づいて、決済処理の結果を確認できるため、決済処理の結果を容易且つ確実に管理することができる。
【００２３】
【発明の実施の形態】
以下、図面を参照して本発明の電子決済システム、電子決済方法及びプログラムの実施の形態を説明する。ここで、本発明の電子決済システム、電子決済方法及びプログラムにおいては、インターネットなどのコンピュータネットワークを利用し、ユーザ側からの決済情報に基づいて、決済処理を行う。
【００２４】
図１は、本発明の電子決済システムの一形態を示す図である。この電子決済システムは、ブラウザ機能を有し、商品やサービスの購入を行い決済情報などを入力するユーザ側装置である携帯型通信装置（携帯電話３０Ａなど）やＰＣ（Ｐｅｒｓｏｎａｌ　Ｃｏｍｐｕｔｅｒ）３０Ｂと、サーバ機能を有し、決済情報に基づいて、利用者の決済処理を行う電子決済サーバ２０と、ネットワーク４０上でユーザに商品やサービスを提供する店舗サーバ１０Ａと、実店舗内に設けられたＰＯＳ端末などの店舗端末１０Ｂと、ユーザ側装置３０Ａ，３０Ｂや店舗端末１０Ｂをネットワーク４０に接続するプロバイダ５０Ａ，５０Ｂ，５０Ｃと、を備えている。
【００２５】
ここで、ネットワーク４０は、インターネットやイントラネットを利用して構築することができる。この場合、インターネットの通信プロトコルに準拠した既存のアプリケーションやシステムを使用することができるので、低コストで本発明の電子決済システムを実現することができる。
【００２６】
また、電子決済サーバ２０での決済は、所定の金額以下、例えば、５０万円以下、の場合に行うようにしてもよい。
【００２７】
図２は、図１に示した店舗サーバ１０Ａの構成の一例を示す図である。図２において、店舗サーバ１０Ａは、ネットワーク４０に接続され、通信の制御を行う通信制御部１１と、ユーザ側に提供する商品やサービスの情報を記憶するコンテンツＤＢ（Ｄａｔａ　Ｂａｓｅ）１３と、ユーザ側装置３０Ａ，３０Ｂからの注文情報（商品番号、個数、金額など）を処理する販売処理部１２と、ユーザ側装置３０Ａ，３０Ｂからの注文情報に応じて決済（注文）毎に管理番号（特定ＩＤ）を付与し、ユーザ側装置３０Ａ，３０Ｂに通知する特定ＩＤ発行部１４と、注文情報に割り当てた特定ＩＤの履歴を記憶する特定ＩＤ・ＤＢ１５と、注文情報と特定ＩＤを関連付けて記憶する販売管理ＤＢ１７と、ユーザ側（振込先）からの入金（電子決済サーバ２０（図１）での決済結果）を特定ＩＤに基づいて確認する入金確認部１６と、を備えている。
【００２８】
図３は、図１に示した店舗端末１０Ｂの構成の一例を示す図である。図３において、図２との相違点は、商品やサービスの提供を行う実店舗に設けられた店舗端末１０Ｂであり、注文情報を入力するための入力部１３’を備えている。
【００２９】
次に、図１〜図３に示した本発明の電子決済システムを利用した電子決済方法について説明する。なお、以下の説明において具体的な一例として、ネットワーク４０はインターネットであるとして、説明する。また、ユーザは、ユーザ側装置３０Ａ，３０Ｂからインターネット４０上で店舗サーバ１０Ａから商品を購入、又は店舗端末１０Ｂを備える実店舗から商品を購入し、その決済を電子銀行サーバ２０で行うものとする。
【００３０】
図４は、本発明の電子決済方法を示すフローチャートである。図１〜図４において、先ず、商品の購入の際に、ユーザの携帯電話３０ＡやＰＣ３０Ｂ、又は店舗端末１０Ｂの入力部１３’から入力された注文情報（商品番号・個数・金額など）を店舗側装置１０Ａ，１０Ｂの販売処理部１２が受け取ると（ステップ４０１）、特定ＩＤ発行部１４は、注文情報毎に特定ＩＤを発行しユーザ側装置に通知する（ステップ４０２）。
【００３１】
ここで、発行された特定ＩＤの履歴情報は、特定ＩＤ・ＤＢ１５に記録され、新たな特定ＩＤを発行する際に参照するようにする。これにより、特定ＩＤを重複して発行することがない。
【００３２】
また、特定ＩＤ発行部１４で発行された特定ＩＤと注文情報は、決済待ちの情報（入金待ち情報）として販売管理ＤＢ１７に関連付けて記録される。店舗側では、この販売管理ＤＢ１７に記録されている入金待ち情報を参照して実際の商品の提供を行うことができる。
【００３３】
次に、ユーザの携帯電話３０Ａ，やＰＣ３０Ｂから特定ＩＤを使用して電子決済サーバ２０へ決済要求を行う（ステップ４０３）。このとき、決済情報（振込元口座番号・暗証番号・振込先口座番号・金額など）と共に、特定ＩＤを電子決済サーバ２０へ通知する。
【００３４】
電子決済サーバ２０では、受け取った決済情報に基づいて決済を行い、その決済結果と特定ＩＤを関連付けて記録する（ステップ４０４）。
【００３５】
店舗側装置（店舗側サーバ１０Ａ、店舗端末１０Ｂ）の入金確認部１６は、電子決済サーバ２０へ特定ＩＤを参照して、決済結果の確認を行う（ステップ４０５）。
【００３６】
店舗側装置（店舗側サーバ１０Ａ、店舗端末１０Ｂ）の入金確認部１６は、特定ＩＤに基づいて、電子決済サーバ２０に決済の結果を即座に照会し、入金の確認を行って、販売管理ＤＢ１７に記録されている入金待ち情報を入金済みとして処理（決済待ちの消し込み）する（ステップ４０６）。
【００３７】
このようにして、決済結果の確認をした後、店舗側では、ユーザ側に商品の提供を行うことができる。
【００３８】
以上、本発明の電子決済システム及び電子決済方法について説明したが、上述した電子決済システムの機能や電子決済方法の処理をコンピュータなどで実行可能なプログラムとすることができる。
【００３９】
【発明の効果】
以上述べた通り、本発明の電子決済システム、電子決済方法及びプログラムによれば、店舗側で発行した決済毎の特定ＩＤを利用することによって、インターネットなどのコンピュータネットワーク上で行われた決済処理の結果を正確且つ容易に管理することができるようになった。
【図面の簡単な説明】
【図１】本発明の電子決済システムの一例を示す図である。
【図２】本発明の電子決済システムで利用する店舗サーバの一例を示す図である。
【図３】本発明の電子決済システムで利用する店舗端末の一例を示す図である。
【図４】本発明の電子決済方法を示すフローチャートである。
【符号の説明】
１０Ａ　店舗サーバ
１０Ｂ　店舗端末
１１　通信制御部
１２　販売処理部
１３　コンテンツＤＢ
１３’　入力部
１４　特定ＩＤ発行部
１５　特定ＩＤ・ＤＢ
１６　入金確認部
１７　販売管理ＤＢ
２０　電子決済サーバ
３０Ａ　携帯電話
３０Ｂ　ＰＣ
４０　ネットワーク
５０Ａ，５０Ｂ，５０Ｃ　プロバイダ
【図１】
2004021661.tif 000003
【図２】
2004021661.tif 000004
【図３】
2004021661.tif 000005
【図４】
2004021661.tif 000006